(57)【要約】      （修正有）【課題】安価な材料を用いながら、自然との共生を感じさせて、家屋に落ち着いたゆとりや高級感を醸し出すことができる、壁内装材セットおよびそれを用いて内装された当該壁を提供する。【解決手段】本壁内装材セットは、壁に貼り付けて内装するための建材のセット５０であり、少なくとも２種の厚みの板材１０を、それぞれ複数、備え、すべての厚みの板材は、木材である基板材と、その基板材のおもて面に貼着された天然木シート３ａとを有し、基板材のおもて面の対向面である裏面は、その基板材が露出しているか、または壁に貼り付けるための両面接着テープが貼着されていることを特徴とする。【選択図】図１
0003153433.tif 000002
【実用新案登録請求の範囲】
【請求項１】
壁に貼り付けて内装するための建材のセットであって、
少なくとも２種の厚みの板材を、それぞれ複数、備え、
前記すべての厚みの板材は、木材である基板材と、その基板材のおもて面に貼着された天然木シートとを有し、
前記基板材のおもて面の対向面である裏面は、その基板材が露出しているか、または前記壁に貼り付けるための両面接着テープが貼着されていることを特徴とする、壁内装材セット。
【請求項２】
第１の厚みの板材、前記第１の厚みより薄い第２の厚みの板材、および前記第２の厚みより薄い第３の厚みの板材を備えることを特徴とする、請求項１に記載の壁内装材セット。
【請求項３】
前記板材の平面形状が、長方形、正方形、六角形、および三角形のいずれかであることを特徴とする、請求項１または２に記載の壁内装材セット。
【請求項４】
前記板材の平面形状が長方形であり、前記第１の厚みの板材および第２の厚みの板材は、前記基板材の側面および小口面に、また第３の厚みの板材の側面に、天然木シートが貼着されていることを特徴とする、請求項２または３に記載の壁内装材セット。
【請求項５】
前記基板材が、合板（Ply Wood）、ＬＶＬ(Laminated Veneer Lamber：単板積層材)、ＰＢ(Particle Board：削片板)、ＭＤＦ(Midium  Density  Fiber  Board：中比重繊維板)、または前記天然木シートの天然木とは異なる異種天然木から形成されていることを特徴とする、請求項１〜４のいずれか１項に記載の壁内装材セット。
【請求項６】
前記板材のほかに、前記板材の小口面または側面に貼着するための、両面テープが付された天然木テープを備えることを特徴とする、請求項１〜５のいずれか１項に記載の壁内装材セット。
【請求項７】
前記天然木シートは、木目を現しながら、（１）染色されているか、（２）塗装されているか、および（３）染色も塗装もされていないか、のいずれかであることを特徴とする、請求項１〜６のいずれか１項に記載の壁内装材セット。
【請求項８】
請求項１〜７のいずれか１項に記載の壁内装材セットを用いて内装されたことを特徴とする、壁。
【考案の詳細な説明】
【技術分野】
【０００１】
本考案は、壁内装材セットおよび壁に関し、より具体的には、自然との共生を感じさせて、家屋に落ち着いた格調、ゆとり、高級感等を醸し出すことができる、壁内装材セット、およびそれを用いて内装した当該壁に関するものである。
【背景技術】
【０００２】
安価な材料を用いて好印象を与える内装を得ることが指向されており、たとえば、フローリング材または壁板材として、集成材や合板などの芯材の表面に天然木の化粧単板を貼り付け、裏面にゴムやアスファルト等の緩衝材を配置した内装建材が提案されている（特許文献１）。これにより、天然木の印象を得ることができる。
また、木質成分とセメント成分からなる木質セメント板の表面に天然木の突板が接着された内装用建材の提案がなされている（特許文献２）。この建材についても天然木の印象を得ることができる。
【先行技術文献】
【特許文献】
【０００３】
【特許文献１】特開２００８−８８８０１号公報
【特許文献２】実用新案登録第３１４４８８９号
【考案の概要】
【考案が解決しようとする課題】
【０００４】
上記の天然木の単板を貼り付けた内装用建材は、一応、天然木の印象を得ることができる。しかし、好印象の程度は限定的である。その実際の内容は自ずと明らかになり、自然との共生感や充実感を与えるまでに至らない。
【０００５】
本発明は、上記の欠点を克服するものであり、安価な材料を用いながら、自然との共生を感じさせて、家屋に落ち着いた格調、ゆとり、高級感を醸し出すことができる、壁内装材セットおよびそれを用いて内装された当該壁を提供することを目的とする。
【課題を解決するための手段】
【０００６】
本考案の壁内装材セットは、壁に貼り付けて内装するための建材のセットである。この壁内装材セットは、少なくとも２種の厚みの板材を、それぞれ複数、備え、すべての厚みの板材は、木材である基板材と、その基板材のおもて面に貼着された天然木シートとを有し、基板材のおもて面の対向面である裏面は、その基板材が露出しているか、または壁に貼り付けるための両面接着テープが貼着されていることを特徴とする。
【０００７】
上記の構成によれば、少なくとも２種の厚みの板材が、壁に貼り付けられるので、凹凸が付いた壁面が得られ、しかもその凹凸面は天然木の木目が露出している。凹凸によって天然木の色調は微妙に変化する。このため板単位で天然木の木目が微妙に変化する壁面が形成され、自然との共生を感じさせて、家屋に落ち着いた格調、ゆとり、高級感を醸し出す壁面を得ることができる。一方、基板材には安価な木材を用いることができ、費用対効果の比率を低く抑えることができる。裏面で基板材が露出したものは、内装現場で作業員がボンド（木工用、コンクリート用など）等の接着剤を用いて内装する使用のされ方を想定しており、また両面テープが貼着されたものは、日曜大工、ＤＩＹ(Do-it-yourself)など個人の使用を想定している。天然木シートは、少なくともおもて面に貼着されるが、側面等に貼着してあってもよいことは言うまでもない。
【０００８】
第１の厚みの板材、第１の厚みより薄い第２の厚みの板材、および第２の厚みより薄い第３の厚みの板材を備えることができる。これによって、３種類の厚みで壁に天然木の凹凸面を形成することができる。このため天然木の段差は複雑になり、木目の色調の変化はマイルドになり、さらに微妙な好印象を与えることができる。
【０００９】
板材の平面形状を、長方形、正方形、六角形、および三角形のいずれかとすることができる。居住空間の壁は長方形である場合がほとんどなので、隅の部分も含めて壁全体を上記の壁内装材で覆う場合は、長方形または正方形の板材とすることが多い。しかし、壁の一部分に内装を施す場合は、長方形、正方形のほかに、六角形、三角形などを用いて、その部分の壁に隙間無く板材の単位で木目の調子を変化させる、凹凸のついた天然木の木目を形成することができる。板材の間に隙間があき、好ましくない場合、板材を、適当な形状に切り出して、隙間があかないようにすることができる。
【００１０】
板材の平面形状が長方形であり、第１の厚みの板材および第２の厚みの板材は、基板材の側面および小口面に、また第３の厚みの板材の側面に、天然木シートが貼着される構成をとることができる。これによって、３種類の厚みの板材がある場合、厚い方の２種の板材については、裏面以外はすべて（５面）、天然木シートが貼着されることになる。このため、凹凸面の段差となって居住空間に露出する面も、天然木の木目が付いている。これによって、上述のように簿妙な木目の調子が表現されて、家屋の格調や高級感をさらに高めることができる。
【００１１】
基板材を、合板（Ply Wood）、ＬＶＬ(Laminated Veneer Lamber：単板積層材)、ＰＢ(Particle Board：削片板)、ＭＤＦ(Midium  Density  Fiber  Board：中比重繊維板)、または前記天然木シートの天然木とは異なる異種天然木から形成することができる。これによって、芯材となる基板材を安価な木材で形成することができる。
【００１２】
板材のほかに、板材の小口面または側面に貼着するための、両面テープが付された天然木テープを備えることができる。これによって、壁面において、最外縁に位置する最小厚みの板材の基板材の側面や小口面が露出する場合、この板材の厚みを幅とする天然木テープによって、基板材の露出を天然木で簡単に覆うことができる。これによって、最外縁に位置しない最小厚みの板材について、側面および小口面に天然木シートを貼り付ける作業の工数を節減し、かつその天然木シート自体を節約することができる。
【００１３】
天然木シートは、木目を現しながら、（１）染色されているか、（２）塗装されているか、および（３）染色も塗装もされていないか、のいずれかとすることができる。これによって、会議場、洋風レストラン、和風レストラン、玄関、居間等に合わせて、またその場の照明に合わせて、千差万別の調子を与えることができる。たとえば染色によって、天然木にはない渋みを帯びた色調を表現することができ、ある意味で、染色の芸術性をこの壁内装材セットを通して表現することができる。
【００１４】
本発明の壁は、上記のいずれかの壁内装材セットを用いて内装されたことを特徴とする。これによって、安価で、多くの細工を施して手が込んだ、高級感の高い壁を得ることができる。
【考案の効果】
【００１５】
本考案の壁内装材セット等による壁内装によれば、安価な材料を用いながら、自然との共生を感じさせて、家屋に落ち着いた格調、ゆとり、高級感を醸し出すことができる。
【図面の簡単な説明】
【００１６】
【図１】本発明の実施の形態における壁内装材セットによって形成した壁面を示す図である。
【図２】図１の壁内装材セットの板材を示し、（ａ）は３種類の厚みの板材を厚み順に並べた状態を示す図、（ｂ）は天然木テープを示す図、（ｃ）は板材の断面図、である。
【図３】板材の製造方法を説明するための図である。
【考案を実施するための形態】
【００１７】
図１は、本発明の実施の形態における壁内装材セット５０を用いて内装した壁の一例を示す図である。図１において、壁内装材セット５０は、３種類の厚みの板材１０によって構成されている（図２参照）。このため、厚い板材と薄い板材とが接する箇所では段差が生じ、壁面５０が、段差のついた入り組んだ天然木で構成される。天然木の段差付き壁面は、凹凸面に木目が複雑に現れて、その壁面に囲まれた居住空間に、自然との共生感、落ち着いたゆとりや高級感を醸し出すことができる。個々の板材１０は、長方形の板であり、隙間無く壁面を埋めることができる。長方形の板材１０の場合、おもて面には、天然木シート３ａが貼着され、また、対向する裏面は、接着剤により直接、接着剤で壁に接着されてもよいし、板材裏面に貼着した両面接着テープによって壁に接着してもよい。図１では、３種類の厚みの板材１０の平面形状は、同じ長方形としている。これは、後で説明する製造において天然木シートを貼着するのに好都合だからであって、製造における手間を問題にしなければ、異なる平面形状であってもよい。
【００１８】
板材を構成する芯材である基板材には、長方形の場合、おもて面および裏面の他に両側面と両小口面がある。次の原則（Ｋ１）〜（Ｋ３）に従っている。
（Ｋ１）３種類の厚みの板材のセットの場合、すべての種類の板材のおもて面には天然木シート３ａを貼着する。
（Ｋ２）最も厚い第１の板材（第１板材と記す）、および次に厚い第２の板材（第２板材と記す）では、両側面に天然木シート３ｂが貼着され、また両小口面に天然木シート３ｃが貼着される。
（Ｋ３）最も薄い板材（第３板材と記す）の場合、両側面および両小口面は、基板材のまま残しておくのがよい。
第３板材は、図１に示すように、最外縁に位置しない限り、側面や小口面は露出せず、隣の厚い板材で隠されるので、天然木シートを節約できるが、第３板材すべてに適用すると、最外縁に位置する場合、小口面等に天然木シートを貼り付けるための、天然木テープを準備しておく。天然木テープを、最外縁の第３板材の側面や小口面に貼り付ける作業は能率が悪く、多くの工数を要する。このため、最外縁用の第３板材については、区別して、両側面および両小口面に天然木シート３ｂ，３ｃを貼着しておいてもよい。
【００１９】
図２は、本発明の壁内装材セットの板材を説明するための図であり、（ａ）は３種類の板厚の板材１０を厚みの順に並べた図、（ｂ）は補修用天然木テープを示す図、（ｃ）は板材の断面図、である。図２（ａ）に示すように、３種類の厚みｔ１，ｔ２，ｔ３の板は、同じ平面形状である。幅Ｗは６１ｍｍ、長さＬは２５０ｍｍ、厚みは、２１ｍｍ（ｔ１：第１板材）、１５ｍｍ（ｔ２：第２板材）、９ｍｍ（ｔ３：第３板材）の３種類である。上記（Ｋ１）に示すように、すべての厚みの板材は、おもて面に天然木シート３ａが貼着されている。また、第３板材および第２板材については、両側面に天然木シート３ｂが、また両小口面に天然木シート３ｃが貼着されている。しかし、第３板材の両側面および両小口面には天然木シートは貼着されていない。
【００２０】
第３板材が、図１の壁面の最外縁に位置する場合に備えて、図２（ｂ）に示すように、第３板材の厚みｔ３を幅とする、側面および小口面用の天然木テープを準備しておく。この天然木テープは、両面テープ１１が天然木テープ本体の裏面に貼られている。この両面テープ１１を、壁面の最外縁に位置して露出する第３板材の側面および小口面に貼着する。これによって、すべての第３板材の両側面および両小口面に天然木シートを貼着することなく、最外縁に露出する第３板材の側面および小口面に限って、天然木の表面層を形成することができる。これによって、天然木シートの節約、および天然木シート貼着作業の工数の節減をすることができる。
【００２１】
図２（ｃ）の第１板材の断面において、おもて面を被覆する天然木シート３ａの他は、芯材である基板材５が占めている。基板材５は、木材の範疇に入ればどのようなものでもよく、たとえば合板（Ply  Wood）、ＬＶＬ(Laminated  Veneer  Lamber：単板積層材)、ＰＢ(Particle  Board：削片板)、ＭＤＦ(Midium  Density  Fiber  Board：中比重繊維板)、または前記天然木シートの天然木とは異なる異種天然木、などを用いることができる。天然木でもよいのは、比較的需要の小さい樹木があり、合板、ＰＢ、ＬＶＬ等と比較しても経済性があるからである。
【００２２】
天然木シート３ａ，３ｂ，３ｃは、木目が現れて、天然木（ムク材）からシートに加工できるものであれば何でもよい。杉、檜、桜、槙、チーク、シーダーなど、日本国内産だけでなく外国産の天然木であってもよい。多くの種類の天然木シートが、インターネット、ＤＩＹ店、専門店などで市販されている。天然木シートは、天然のまま乾燥したシートであってもよいし、木目を現しながら染色して染色独特の風合いを持たせてもよい。また、木目を現しながら透明または半透明の塗装を行ったものであってもよい。
【００２３】
図３は、図１および図２に示す壁内装材セット１０の製造方法の一例を示す図である。おもて面用の天然木シート３ａと、基板材とする基板大板５とを準備しておく。基板大板５の厚みｔｏは、第１板材〜第３板材の厚みｔ１，ｔ２，ｔ３のどれでもよい。たとえば第１板材の厚みｔ１としておく。まず、一枚の基板大板５に天然木シート３ａを、所定枚数、接着剤を介在させて配置してプレスまたは熱プレスによって圧締めする。
この貼着のとき、天然木シート３ａおよび基板材５の貼着面は、水分、油等がないように、乾燥し、清浄化しておく。接着剤は、市販品の多くの種類のボンド類、接着剤類から適切なものを選ぶことができる。基板材５の表面への塗布は、ハケ、スプレー、ロールスプレッダなどを用いて、所定量を均一に塗布する。圧締めは、各種のプレス装置、ロールプレス等を用いて行う。おもし等を用いてもよい。加熱しながら圧締めしてもよい。
このあと、図２（ａ）に示す平面形状に切り出す。すなわち、幅Ｗ６１ｍｍ、長さＬ２５０ｍｍに切り出す。このとき、おもて面に天然木シート３ａが貼着されているが、裏面、側面および小口面は基板材５が露出している。最も厚みの小さい第３板材は、おもて面のみ天然木シート３ａを貼り付けるので、ここまでで天然木シートを貼り付ける作業が終了する。
【００２４】
第１板材および第２板材については、この後、側面および小口面に天然木シートを貼り付ける工程がある。完成品の板材の平面形状に切り出された板材を、側面を共通に上面にして重ねて並べ、その上面（側面）に、天然木シート３ｂを貼り付ける。板材の厚みは天然木シートの幅よりかなり小さいので、重なった複数枚の板材に一枚の天然木シート３ｂが貼り付けられる。また、他方の側面にも、同様に、一枚の天然木シート３ｂを貼り付けられる。側面への天然木シート３ｂの貼り付け作業は、上述のおもて面への天然木シート３ａと同様にして行うことができる。小口面についても同じである。
このあと、基板材５にキズを付けないように、天然木シート３ｂを切断して、個々の板材に分離する。このとき、板材の縁（稜線）付近に生じたキズを補修するために、天然木と調子が類似した塗装を施してもよい。一方の側面に天然木シートを貼り付け、切断して板材に分離して、再び並べて他方の側面に天然木シート３ｂを貼り付けて、切断してもよい。
【００２５】
さらに小口面について、図３では図示を省略しているが、小口面を共通に上面にして密に並べ、その上面（小口面）に、天然木シート３ｃを貼り付ける。他方の小口面にも、同様に、重ねて並べた複数の板材に一枚の天然木シート３ｃを貼り付けられる。このあと、基板材５にキズを付けないように、天然木シート３ｃを切断して、個々の板材に分離する。一方の小口面に天然木シートを貼り付け、切断して板材に分離して、再び並べて他方の小口面に天然木シート３ｃを貼り付けて、切断してもよい。
製造方法は、図３に示す方法に限定されず、他の方法で製造してもよい。
【００２６】
本発明の実施の形態の壁内装材セット１０では、基板材に安価な木材を用い、表面を天然木シートで被覆した板材を用い、その板材を、複数種、とくに３種類の厚みの板材によって構成する点に特徴を有する。天然木の段差付き壁面は、凹凸面に木目が複雑に現れて、その壁面に囲まれた居住空間に、自然との共生感、落ち着いたゆとりや高級感、安定感等を醸し出すことができる。このため、ゆとりや高級感を持ちながら経済性に富んだ壁内装材を得ることができる。
【００２７】
（他の実施の形態）
１．本実施の形態では、平面形状が長方形の場合のみを説明したが、正方形、六角形、三角形などであってもよい。この場合、おもて面および裏面以外の面は、すべて側面であり、小口面は、第２の側面、第３の側面．．．などとすれば、本実施の形態における説明に基づいて応用することは容易である。
２．３種類の厚みの板材で構成される壁内装材セットについてのみ、説明したが、４種類以上の厚み、または２種類の厚みの板材で構成される壁内装材セットであってもよい。
３．天然木テープは、最も厚みの薄い板材の側面または小口面を対象としたが、より厚い板材の厚みを幅とするテープを備えてもよい。
【００２８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００２９】
本発明によれば、安価な材料を用いながら、自然との共生を感じさせて、家屋に落ち着いたゆとりや高級感を醸し出すことができるので、多くの人が集まる空間、各種のレストラン、ホテル、旅館等において貢献することが期待される。
【符号の説明】
【００３０】
３ａ  おもて面の天然木シート、３ｂ  側面の天然木シート、３ｃ  小口面の天然木シート、５  基板材（芯材）、１０  板材、１１  両面テープ、５０  壁内装材セット（壁面）、Ｌ  板材の長さ、ｔ１，ｔ２，ｔ３  板材の厚み、Ｗ  板材の幅。
【図１】
0003153433.tif 000003
【図２】
0003153433.tif 000004
【図３】
0003153433.tif 000005